(57)【要約】【課題】大きさ等が異なる各種の農産物（Ｂ１、Ｂ２）を汎用的に安定載置することができ、しかも、載置部２の表面凹凸が少なくて塵埃等が溜まり難く、洗浄し易い搬送用受皿１０を提供すること。【解決手段】受皿本体１と、農産物（Ｂ１、Ｂ２）が載置される載置部２とを備えた搬送用受皿１０において、載置部２を、受皿本体１に着脱自在に配設された複数の弾性体２１と、これら複数の弾性体２１を覆う膜体２２と、から構成した。【選択図】図５
2010179252.tif 000002
【特許請求の範囲】
【請求項１】
農産物の搬送用受皿であって、
受皿本体と、
該受皿本体に設けられ、前記農産物が載置される載置部と、
を備え、
前記載置部が、
前記受皿本体に着脱自在に配設された複数の弾性体と、
前記受皿本体に着脱自在に取り付けられ、複数の前記弾性体を覆う膜体と、
から構成されていることを特徴とした農産物の搬送用受皿。
【請求項２】
前記弾性体が弾性球体から成る請求項１に記載の農産物の搬送用受皿。
【請求項３】
前記弾性体が前記受皿本体に対して移動可能に配設されている請求項１または請求項２に記載の農産物の搬送用受皿。
【発明の詳細な説明】
【技術分野】
【０００１】
本発明は、農産物の搬送用受皿、より詳しくは、農産物選別装置等のコンベヤで農産物を搬送する際に使用する農産物の搬送用受皿に関する。
【背景技術】
【０００２】
現在までに、桃、柑橘、リンゴ、メロン等の農産物を、その等階級に応じて仕分けする農産物選別装置に使用する搬送用受皿として数多くの受皿が提案されている（下記特許文献１〜３参照）。
【０００３】
例えば、特許文献１に記載の受皿は、農産物が載置される載置部に、多数のひれ状の弾性突起が設けられており、これらひれ状弾性突起によって農産物を安定に載置できるように構成されている。
【０００４】
また、特許文献２に記載の受皿は、農産物の載置部に短尺弾性ひれ状片と長尺弾性ひれ状片とが設けられており、大きさ等が異なる複数種類の農産物を汎用的に安定載置できるように構成されている。
【０００５】
また、特許文献３に記載の受皿は、多数のひれ状弾性突起の他に、農産物の側面を支えるための弾性支持部材が設けられており、農産物載置の更なる安定化、汎用化が図られている。
【先行技術文献】
【特許文献】
【０００６】
【特許文献１】実開平４−２６９１９号公報
【特許文献２】特開平１０−２４９２８６号公報
【特許文献３】特開２００２−１１４１４号公報
【発明の概要】
【発明が解決しようとする課題】
【０００７】
しかしながら、これら従来の搬送用受皿は、多数のひれ状弾性突起や弾性支持部材によって農産物を安定に載置し得るものの、載置部の表面形状が複雑で凹凸が多く、塵埃や農産物の付着物等が溜まり易く、不衛生になり易い問題があった。また、載置部の表面凹凸が多いため、受皿の洗浄処理時に汚れを落とし難い問題があった。
【０００８】
本発明は、従来の農産物の搬送用受皿に上記のような難点があったことに鑑みて為されたもので、大きさ等が異なる各種の農産物を汎用的に安定載置することができ、しかも、載置部の表面凹凸が少なくて塵埃等が溜まり難く、洗浄し易い搬送用受皿を提供することを課題とするものである。
【課題を解決するための手段】
【０００９】
本発明は、農産物の搬送用受皿であって、受皿本体と、該受皿本体に設けられ、前記農産物が載置される載置部とを備え、前記載置部が前記受皿本体に着脱自在に配設された複数の弾性体と、前記受皿本体に着脱自在に取り付けられ、複数の前記弾性体を覆う膜体とから構成されていることを特徴としている。
【００１０】
また、本発明は、前記弾性体が弾性球体から成ることを特徴としている。
【００１１】
また、本発明は、前記弾性体が前記受皿本体に対して移動可能に配設されていることを特徴としている。
【発明の効果】
【００１２】
本発明に係る搬送用受皿にあっては、農産物を支える載置部の複数の弾性体が膜体によって覆われているので、載置部の表面凹凸を従来品に比べて格段に少なくすることができる。したがって、例えば農産物から落下した付着物や塵埃が載置部に溜まり難く、その衛生を保ち易い。また、載置部の表面凹凸が少ないので、搬送用受皿の洗浄時にも載置部の汚れを落とし易い。
【００１３】
また、弾性体が弾性球体から成る搬送用受皿によれば、個々の弾性体によって農産物を点状に支えることができ、農産物を座り良く安定に保持することができる。
【００１４】
また、弾性体が前記受皿本体に対して移動可能に設けられた搬送用受皿によれば、複数の弾性体が農産物の重量を支えながら、より安定した状態を求めて受皿本体上を移動するので、農産物の凹凸形状に応じて弾性体が移動し、農産物をより座り良く安定に保持することができる。
【図面の簡単な説明】
【００１５】
【図１】本実施形態の搬送用受皿が使用される農産物選別装置の概略平面図である。
【図２】本実施形態の搬送用受皿を示す図であり、（ａ）は側面図、（ｂ）は断面図である。
【図３】本実施形態の搬送用受皿の受皿本体を示す図であり、（ａ）は平面図、（ｂ）は、Ｓ−Ｓ線断面図である。
【図４】本実施形態の搬送用受皿の膜体を示す図であり、（ａ）は平面図、（ｂ）は、Ｔ−Ｔ線断面図である。
【図５】本実施形態の搬送用受皿に農産物を載置した状態を説明する要部断面図である。
【図６】本発明に係る実施変形例の搬送用受皿の受皿本体と弾性体を説明する要部平面図である。
【発明を実施するための形態】
【００１６】
本実施形態の搬送用受皿は、例えば、桃、柑橘、リンゴ、メロン等の各種農産物をその階級、等級等に応じて受皿ごと仕分けする農産物選別装置に使用される。個々の農産物は本実施形態の搬送用受皿に載置された状態で、農産物選別装置の搬送経路に沿って搬送され、仕分けされる。
【００１７】
図１に示すように、農産物選別装置１００は、作業者が農産物をコンベヤ１１１上の空の受皿１０に載置する作業を行う供給部１１０と、この供給部１１０から搬送されてきた受皿１０上の農産物の大きさ、重量等の階級要素や、傷、色、糖度、熟度等の等級要素を複数の計測装置１２１、１２２で計測する計測部１２０と、この計測部１２０で計測した階級要素や等級要素に応じて個々の農産物を、受皿１０ごと複数の仕分装置１３１で仕分けする仕分部１３０と、この仕分部１３０で仕分けした農産物を段ボール等に箱詰めする箱詰部１４０と、この箱詰部１４０で空になった受皿１０を複数の回収コンベヤ１５１〜１５４で回収し、上記供給部１１０へ戻す回収部１５０と、を備えている。
【００１８】
本実施形態の搬送用受皿１０は、図２に示すように、受皿本体１と、この受皿本体１に設けられ、農産物が載置される載置部２と、から構成されている。
【００１９】
受皿本体１は、図２及び図３に示すように、中央に平面視円形の貫通孔１１１が開設された平面視円形の底部１１と、底部１１の外周に設けられた円筒形状の周壁部１２と、周壁部１２の内側に設けられ、貫通孔１１１を囲むように放射状に並んだ複数の板状の仕切部１３と、複数の仕切部１３同士の間において底部１１に設けられ、貫通孔１１１を囲むように放射状に並んだ複数の板状の支持部１４と、から構成されている。底部１１の貫通孔１１１の孔縁部には、内側へ向けて係合突起１１２が設けられている。また、周壁部１２の外周面の上部には凹部１２１が形成され、凹部１２１には個々の受皿１０を特定するための不図示のバーコードが貼設されている。
【００２０】
載置部２は、図２に示すように、上記受皿本体１に着脱自在に配設された複数の弾性体２１と、これら複数の弾性体２１を覆う膜体２２と、から構成されている。
【００２１】
本実施形態の弾性体２１は、合成ゴム製の柔軟な弾性球体２１１から成り、図２（ｂ）、図３（ａ）に示すように、上記受皿本体１の複数の仕切部１３間において各支持部１４上に着脱自在に載せられている。なお、受皿本体１の仕切部１３は、受皿本体１の補強や弾性体２１の位置決め等を行うために設けられているが、例えば弾性体２１の位置決めが求められていない場合においては、必ずしも仕切部１３を設ける必要はない。また、受皿本体１の支持部１４は、弾性体２１を所定の高さ位置に支持するものであるが、例えば、受皿本体１自体の高さや弾性体２１の大きさによっては、支持部１４を設けずに底部１１上に直接、弾性体２１を載せる場合もある。
【００２２】
本実施形態の膜体２２は、図２及び図４に示すように、中央に平面視円形の貫通孔２２１を有する合成樹脂製の柔軟な筒状体から成り、上記弾性体２１を被覆する略漏斗形状の被膜部２２２と、被膜部２２２の上部を受皿本体１に取り付けるための上部取付部２２３と、被膜部２２２の下部を受皿本体１に取り付けるための下部取付部２２４と、被膜部２２２の内面の下部寄りに設けられた内向き鍔状の弾性変形部２２５と、から構成されている。
【００２３】
上部取付部２２３は、被膜部２２２の上端部に全周に亘って設けられ、この上部取付部２２３に係合溝部２２６が形成されている。この係合溝部２２６を受皿本体１の周壁部１２の上端部に被嵌することによって、膜体２２の上端部を受皿本体１の上端部に取り付けることができる。また、下部取付部２２４は、被膜部２２２の下端部に全周に亘って設けられ、この下部取付部２２４に係合溝部２２７が形成されている。この係合溝部２２７を受皿本体１の底部１１の係合突起１１２に被嵌することによって、膜体２２の下端部を受皿本体１の下端部に取り付けることができる。こうして、図２（ｂ）に示すように、膜体２２が受皿本体１に着脱自在に取り付けられ、膜体２２と受皿本体１との間に複数の弾性体２１が保持されている。
【００２４】
このように本実施形態の搬送用受皿１０にあっては、図５に示すように、受皿本体１に配設された複数の弾性体２１が膜体２２によって覆われているので、載置部２の表面凹凸を従来品に比べて格段に少なくすることができる。したがって、例えば農産物から落下した付着物や塵埃が載置部２に溜まり難く、その衛生を保ち易い。また、載置部２の表面凹凸が少ないので、受皿１０の洗浄時にも載置部２の汚れを落とし易い。
【００２５】
しかも、本実施形態の搬送用受皿１０によれば、図５に示すように、農産物Ｂ１を載置部２に載置したとき、その膜体２２だけでなく複数の弾性体２１も農産物Ｂ１の重量に応じて弾性変形するので、農産物Ｂ１を安定に保持することができる。つまり、比較的に大きな農産物Ｂ１を載置したとき、膜体２２が農産物Ｂ１の外面を水平方向の全周に亘って支えると同時に、複数の弾性体２１がそれぞれ農産物Ｂ１の外面を部分的に支えるので、たとえ農産物Ｂ１の外面に凹凸があっても、その凹凸形状に応じて個々の弾性体２１が独立に弾性変形して、農産物Ｂ１を座り良く安定に保持することができる。
【００２６】
また、比較的に大きな農産物Ｂ１を載置したとき、主として複数の弾性体２１が農産物Ｂ１の重量を支えるので、農産物Ｂ１が比較的に重くても、複数の弾性体２１で確りと支えることができ、載置部２上での農産物Ｂ１の沈込みや揺動を抑制することができる。
【００２７】
また、本実施形態の搬送用受皿１０は、弾性体２１が球状の弾性球体２１１から構成されているので、個々の弾性体２１で農産物Ｂ１を点状に支えることができ、農産物Ｂ１をより座り良く安定に保持することができる。また、弾性体２１が球状に形成されているので、比較的に軽い農産物に対しても、その外面の凹凸形状に十分に追従し得る弾性変形量を確保することができると共に、比較的に重い農産物の載置部２上での沈込みや揺動等を効果的に抑制することができる。
【００２８】
更に、これら複数の弾性体２１は、膜体２２を支える役割を果たすので、図５に示すように、複数の弾性体２１上にかからない程度の小さな農産物Ｂ２を載置部２に載置した場合であっても、膜体２２の弾性力だけでなく、膜体２２を介して個々の弾性体２１の弾性力を利用することができ、農産物Ｂ２を安定に保持することができる。
【００２９】
このように本実施形態の搬送用受皿１０によれば、大きさ、重量等の異なる各種の農産物を汎用的に安定載置することができる。なお、搬送用受皿１０の弾性体２１の大きさ、形状、材質、弾性等については、載置すべき農産物の大きさ、形状、重量等を考慮して種々の設計変更が可能であり、例えば、弾性体２１としてスポンジ体を採用してもよく、空気等の流体が封入された中空体を採用してもよい。同様に、膜体２２の材質や膜厚等についても種々の設計変更が可能である。また、本実施形態の搬送用受皿１０は、複数の弾性体２１及び膜体２２が受皿本体１に着脱自在に設けられているので、予め複数種類の弾性体２１及び膜体２２を準備しておき、これら複数種類の弾性体２１や膜体２２を農産物に合わせて適宜選択して受皿本体１に取り付けるようにしてもよい。また、複数の弾性体２１は、必ずしも全て同一である必要はなく、複数種類の弾性体２１を組み合わせて配設してもよい。
【００３０】
また、本実施形態の搬送用受皿１０にあっては、膜体２２が複数の弾性体２１を覆うとともに、これら弾性体２１を受皿本体１上に保持する役割を果たすので、受皿本体１自体に弾性体２１の保持手段を設ける必要がない。したがって、搬送用受皿１０の構成を簡素化することができ、安価な搬送用受皿１０を提供することができる。
【００３１】
また、本実施形態の搬送用受皿１０は、受皿本体１の底部１１に貫通孔１１１が開設され、膜体２２に貫通孔２２１が開設されている。そして、膜体２２が農産物の外面を水平方向の全周に亘って支え農産物の外面に密着する。したがって、農産物選別装置１００の計測部１２０において、農産物の内部を透過した透過光を、搬送用受皿１０の貫通孔１１１、２２１を通して、搬送用受皿１０の下方で受光して農産物の糖度等を計測する場合、貫通孔２２１内への外光の侵入を防ぐことができ、より高精度な計測が可能となる。なお、農産物の内部を透過した透過光を農産物の側方で受光して計測する場合等においては、受皿本体１や載置部２に必ずしも貫通孔を設ける必要はない。
【００３２】
以上、本実施形態の搬送用受皿１０について説明したが、本発明はその他の形態でも実施することができる。
【００３３】
例えば、図６に示す搬送用受皿２０のように構成しても良い。搬送用受皿２０は、受皿本体３に設けられた載置部４において、複数の弾性体４１が受皿本体３に対し移動可能に構成されている点に特徴がある。これら複数の弾性体４１を覆う膜体は、上述した搬送用受皿１０の膜体２２と同様に構成されており、その説明と図示を省略する。
【００３４】
搬送用受皿２０の受皿本体３は、図６に示すように、中央に平面視円形の貫通孔３１１が開設された平面視円形の底部３１と、底部３１の外周部に設けられた円筒形状の周壁部３２と、周壁部３２の内側に設けられ、貫通孔３１１を囲むように放射状に等間隔を保って並ぶ計３つの板状の仕切部３３と、複数の仕切部３３同士の間において底部１１に設けられた計３つの支持部３４と、から構成されている。そして、各支持部３４は、貫通孔３１１を囲むように放射状に等間隔を保って並ぶ計３つの板状の第一支持部材３４１と、同じく貫通孔３１１を囲むように同心円状に設けられた円筒状の第二支持部材３４２と、から構成されている。
【００３５】
搬送用受皿２０の弾性体４１は、ゴム製の柔軟な弾性球体４１１から成り、図６に示すように、受皿本体３の複数の仕切部３３間において、各支持部３４の第二支持部材３４２上を円周に沿って水平方向に移動可能に着脱自在に載せられている。そして、不図示の膜体が、これら複数の弾性体４１をその移動を許容した状態で被覆し、受皿本体３上に保持する。
【００３６】
この搬送用受皿２０によれば、載置部４に農産物を載置したとき、複数の弾性体４１が農産物の重量を支えながら、より安定した状態を求めて受皿本体３上を水平移動するので、農産物の外面形状に水平方向の凹凸がある場合、その凹凸形状に応じて各弾性体４１が独立的に移動し、農産物をより座り良く安定に保持することができる。なお、これら弾性体４１の大きさ、形状、個数、移動許容距離等は、載置すべき農産物の形状等を考慮して種々の設計変更が可能である。また、必ずしも全て同一の弾性体４１を配設する必要はなく、複数種類の弾性体４１を組み合わせて配設してもよい。
【００３７】
また、本発明はその趣旨を逸脱しない範囲内で、当業者の知識に基づいて種々の改良、修正、変形を加えた態様で実施し得る。同一の作用又は効果が生じる範囲内でいずれかの発明特定事項を他の技術に置換した形態で実施しても良く、また、一体に構成されている発明特定事項を複数の部材から構成したり、複数の部材から構成されている発明特定事項を一体に構成した形態で実施しても良い。
【符号の説明】
【００３８】
１０、２０  搬送用受皿
１、３  受皿本体
２、４  載置部
２１、４１  弾性体
２１１、４１１  弾性球体
２２  膜体
Ｂ１、Ｂ２  農産物
【図１】
2010179252.tif 000003
【図２】
2010179252.tif 000004
【図３】
2010179252.tif 000005
【図４】
2010179252.tif 000006
【図５】
2010179252.tif 000007
【図６】
2010179252.tif 000008